(57)【特許請求の範囲】
【請求項１】
本体内に設けた送風装置と、前記本体前面に凹設した断面が略Ｃ字形状の乾燥室と、前記送風装置からの気流を前記乾燥室内に送出する吹出ノズルを有し、前記乾燥室の前端に突出壁を備え、前記吹出ノズルの吹出方向を前記突出壁に向けてなる手乾燥装置であって、この吹出ノズルからの吹出気流は、前記乾燥室の内壁面に沿って大きく旋回し、前記吹出気流に合流することで循環流を形成してなる手乾燥装置。
【請求項２】
吹出ノズルを一体に形成した吹出ダクトに発熱体を設け、送風装置と前記吹出ノズルの間に前記発熱体を配置してなる請求項１記載の手乾燥装置。
【請求項３】
乾燥室の側方開口部の内周縁に連続リブを立設した請求項１または２記載の手乾燥装置。
【請求項４】
乾燥室の断面形状が曲率半径小なる部分に位置する連続リブの高さ寸法を大きくしてなる請求項３記載の手乾燥装置。
【請求項５】
吹出ノズルを乾燥室の前端部に設けてなる請求項１〜４のいずれかに記載の手乾燥装置。
【請求項６】
吹出ノズルの吹出方向を乾燥室内に向けて傾けて設けた請求項１〜５のいずれかに記載の手乾燥装置。
【請求項７】
本体内に設けた送風装置と、前記本体前面に凹設した断面が略Ｃ字形状の乾燥室と、前記送風装置からの気流を前記乾燥室内に送出する吹出ノズルを有し、吹出ノズルより内側の乾燥室内に、曲面を有する風向変更板を立設してなる請求項１〜６のいずれかに記載の手乾燥装置。
【請求項８】
突出壁の内面が吹出ノズルの吹出方向となす角度を４５度以下としてなる請求項２〜７のいずれかに記載の手乾燥装置。
【発明の詳細な説明】
【０００１】
【発明の属する技術分野】
本発明は、洗面所やトイレ等にて手を洗い、濡れた手を温風にて乾燥させる手乾燥装置に関するものである。
【０００２】
【従来の技術】
従来、この種の手乾燥装置は図７および図８に記載されたものが知られている。
【０００３】
図に示すように、壁面に固定された本体１０１は、フロントケース１０２および下部に突設した水受け皿１０３で構成されており、フロントケース１０２と水受け皿１０３の間に乾燥空間１０２ａが形成される。フロントケース１０２内には高圧高速気流を発生する送風手段１０４と発熱手段１０５および制御手段１０８が設けられており、送風手段１０４と発熱手段１０５で生成された温風を案内する吹出用ダクト１０６を接続し、吹出用ダクト１０６の先端には急縮小形状の送風吹出ノズル１０６ａを形成している。吹出ノズル１０６ａはフロントケース１０２の下端部に位置し、水受け皿１０３に向けて送風するよう設置されている。また送風吹出ノズル１０６ａの近傍には乾燥空間１０２ａ内に差し出した手を検知する検知手段１１０が設けられ、前記制御手段１０８は検知手段１１０の検知信号を受けて送風手段１０４および発熱手段１０５を駆動制御している。また、水受け皿１０３の前部および左右側部には突起帯１０７を形成している。
【０００４】
上記構成において濡れた手を乾燥空間１０２ａに挿入すると、検知手段１１０により検知され、送風手段１０４および発熱手段１０５により温風が形成されて吹出ノズル１０６ａより送風される。このとき差し出した手に温風が当たり、手を乾燥させる。手を引っ込めると検知手段１１０の検出がなくなるので、送風手段１０４および発熱手段１０５は停止する。
【０００５】
また、手から離れた水滴は底面の水受け皿１０３に集められるが、送風吹出ノズル１０６ａの送風により飛散しやすくなるため、水受け皿１０３の前部および側部の突起帯１０７により周囲への飛散を防止するものであった。
【０００６】
【発明が解決しようとする課題】
このような従来の手乾燥装置では、吹出ノズルから水受け皿に向けて送風するため、水受け皿が振動しやすく騒音が大となり、また乾燥室内に手を差し出したときは気流が乱れるため風切り音による騒音が大きくなるという課題があり、また吹出ノズルが片面にあるため、差し出した手の両面を同時に乾燥できないという課題があり、送風時に乾燥室で発生する騒音を低減するとともに手の両面を同時に乾燥できることが要求されている。
【０００７】
また、吹出ノズルから吹き出される気流の一部は手に当たることなく通過して乾燥室の周囲に分散してしまうため、また手に当たる気流も同様に周囲に分散してしまうため、手の乾燥には吹出気流が充分に利用されてないという課題があり、吹出ノズルからの気流を無駄のないように有効利用して乾燥効率を向上することが要求されている。
【０００８】
また、発熱手段の後流側に吹出用ダクトが接続されているため、接続部から温風が漏れてフロントケース内の温度が上がり、制御手段の雰囲気温度の上昇により電装部品に熱的負荷が加わると、故障の原因になりやすいという課題があり、温風がフロントケース内に漏れ出ないことが要求されている。
【０００９】
また、乾燥室の側面に開口部があるため、そこから乾燥室内の気流が逃げて乾燥効率が悪くなるという課題があり、気流を乾燥室の外に逃げないようにすることが要求されている。
【００１０】
また、乾燥室内で気流が方向を変えるとき、すなわち乾燥室の底面などの曲率半径の小さい部分では、風向変更に伴い気流が左右に乱れるため、突出帯を越えて気流が外に逃げやすくなるという課題があり、乾燥室内の底面などから気流を逃げないようにすることが要求されている。
【００１１】
また、乾燥室内全体に広く気流または温風が行き渡らないと、乾燥効率が悪くなるという課題があり、乾燥室内全体に気流または温風が循環できることが要求されている。
【００１２】
また、乾燥室に手を水平に近い方向に差し出したとき、気流は手の上面に広がるが、手の下面に届く気流が少なくなり、効率良く乾燥できないという課題があり、手の下側に確実に気流が廻り込むことが要求されている。
【００１３】
また、吹出ノズルからの吹出気流は空中で前後に徐々に拡がり、突出壁に当たるときに乾燥室の外側に一部の気流が逃げるため、乾燥室内の循環量が減るという課題があり、吹出ノズルの吹出気流が乾燥室外に逃げないことが要求されている。
【００１４】
また、乾燥室を循環する気流は壁面に沿って流れ、吹出ノズルに戻ってくるが、吹出ノズルの吹出気流に合流するときに気流が交差して、吹出気流を乱すという課題があり、吹出気流を乱さずに循環流を形成することが要求されている。
【００１５】
また、突出壁の向きによっては吹出ノズルの送風が突出壁に当たるときに衝撃音を生じ、さらに乾燥室内の循環流が乱れるという課題があり、突出壁で発生する騒音を小さくするとともに循環流を確実に形成できることが要求されている。
【００１６】
本発明は、このような従来の課題を解決するものであり、水受け皿の振動や風切り音による騒音を防止するとともに、一方向に設けた吹出ノズルで手の両面を同時に乾燥することができ、また吹出ノズルの気流を有効に利用して乾燥効率を向上することができ、また送風装置と発熱体で生成された温風が本体内に漏れないようにすることができ、また乾燥室の側面から逃げる気流を少なくして乾燥効率を上げることができ、また乾燥室の断面形状が曲率半径小なる部分から側方へ逃げる気流を少なくして乾燥効率を上げることができ、また乾燥室内に広く気流を循環して乾燥効率を上げることができ、また差し出した手の下面側も効率良く乾燥することができ、また吹出ノズルの吹出気流が突出壁の外側に逃げるのを防ぐことができ、また吹出気流を乱さずに循環流を形成することができ、また突出壁で生ずる騒音を低減するとともに循環風を確実に形成することができる手乾燥装置を提供することを目的としている。
【００１９】
【課題を解決するための手段】
本発明の手乾燥装置は上記目的を達成するために、本体内に設けた送風装置と、前記本体前面に凹設した断面が略Ｃ字形状の乾燥室と、前記送風装置からの気流を前記乾燥室内に送出する吹出ノズルを有し、前記乾燥室の前端に突出壁を備え、前記吹出ノズルの吹出方向を前記突出壁に向けてなる手乾燥装置であって、前記吹出ノズルからの吹出気流は、前記乾燥室の内壁面に沿って大きく旋回し、前記吹出気流に合流することで循環流を形成したものである。
【００２０】
そして、本発明によれば吹出ノズルの気流を有効に利用して乾燥効率を向上することができる手乾燥装置が得られる。
【００２１】
また、他の手段は吹出ノズルを一体に形成した吹出ダクトに発熱体を設け、送風装置と前記吹出ノズルの間に前記発熱体を配置したものである。
【００２２】
そして、本発明によれば温風が接続部分から漏れて本体内に拡がらないようにできる手乾燥装置が得られる。
【００２３】
また、他の手段は乾燥室の側方開口部の内周縁に連続リブを立設したものである。
【００２４】
そして、本発明によれば乾燥室の側面から逃げる風量を少なくして乾燥効率を上げることができる手乾燥装置が得られる。
【００２５】
また、他の手段は乾燥室の断面形状が曲率半径小なる部分に位置する連続リブの高さ寸法を大きくしてなるものである。
【００２６】
そして、本発明によれば乾燥室内の下部から逃げる風量を少なくして乾燥効率を上げることができる手乾燥装置が得られる。
【００２７】
また、他の手段は吹出ノズルを乾燥室の前端部に設けてなるものである。
そして、本発明によれば乾燥室内に広く気流を循環して乾燥効率を上げることができる手乾燥装置が得られる。
【００２８】
また、他の手段は吹出ノズルの吹出方向を乾燥室内に向けて傾けて設けたものである。
【００２９】
そして、本発明によれば手の裏側も効率良く乾燥することができる手乾燥装置が得られる。
【００３０】
また、他の手段は本体内に設けた送風装置と、前記本体前面に凹設した断面が略Ｃ字形状の乾燥室と、前記送風装置からの気流を前記乾燥室内に送出する吹出ノズルを有し、この吹出ノズルの外側先端部を内側先端部より長くしたものである。
【００３１】
そして、本発明によれば、吹出ノズルの噴出気流が突出壁の外側に逃げるのを防ぐことのできる手乾燥装置が得られる。
【００３２】
また、他の手段は本体内に設けた送風装置と、前記本体前面に凹設した断面が略Ｃ字形状の乾燥室と、前記送風装置からの気流を前記乾燥室内に送出する吹出ノズルを有し吹出ノズルより内側の乾燥室内に、曲面を有する風向変更板を立設したものである。
【００３３】
そして、本発明によれば循環流の方向を吹出ノズルの直前で変更することができる手乾燥装置が得られる。
【００３４】
また、他の手段は突出壁の内面が吹出ノズルの吹出方向となす角度を４５度以下に設けてなるものである。
【００３５】
そして、本発明によれば突出壁で生ずる騒音を低減するとともに循環風を確実に形成することができる手乾燥装置が得られる。
【００３７】
【発明の実施の形態】
本発明は、本体内に設けた送風装置と、前記本体前面に凹設した断面が略Ｃ字形状の乾燥室と、前記送風装置からの気流を前記乾燥室内に送出する吹出ノズルを有し、前記乾燥室の前端に突出壁を備え、前記吹出ノズルの吹出方向を前記突出壁に向けてなる手乾燥装置であって、この吹出ノズルからの吹出気流は、前記乾燥室の内壁面に沿って大きく旋回し、前記吹出気流に合流することで循環流を形成したものであり、吹出ノズルから吹き出される気流が差し出した手に当たる場合は、気流が方向変換して手の裏面に当たる気流となり、差し出した手に気流が当たらない場合は、乾燥室内の乾燥を行ない、いずれも手から離れた吹出気流を有効活用して乾燥効果を高めるという作用を有する。
【００３８】
また、吹出ノズルを一体に形成した吹出ダクトに発熱体を設け、送風装置と前記吹出ノズルの間に前記発熱体を配置したものであり、発熱体を通過した温風は吹出ダクト内を吹出ノズルまで案内されて進み、途中で漏れることなく噴出され、本体内に温風が漏れることがないので、温風漏れによる制御部への熱的損傷が防止できるという作用を有する。
【００３９】
また、乾燥室の側方開口部の内周縁に連続リブを立設したものであり、乾燥室側方開口部の周縁に設けた連続リブは乾燥室内の気流が、側方から逃げ出すのを抑えて、乾燥室内を気流が循環するのを維持することができるという作用を有する。
【００４０】
また、乾燥室の断面形状が曲率半径小なる部分に位置する連続リブの高さ寸法を大きくしてなるものであり、乾燥室内を循環する気流は底面で方向転換するときに、流れに乱れを生じて側方開口部から外へ逃げやすくなるが、連続リブの高さを乾燥室の断面形状が曲率半径小なる部分に位置する部分で大きくしているので、気流が側方から逃げ出すのを抑えて、乾燥室内の気流循環を維持することができるという作用を有する。
【００４１】
また、吹出ノズルを乾燥室の前端部に設けてなるものであり、前面上端の吹出ノズルから突出壁の内表面側方向に出た気流または温風は乾燥室内全体に循環することができ、乾燥室内に差し出した手を包み込むように気流または温風を当てることができるという作用を有する。
【００４２】
また、吹出ノズルの吹出方向を乾燥室内に向けて傾けて設けたものであり、乾燥室に手を水平または斜め下方向に差し入れると、乾燥室内はその手によって上下の空間に区分けされ、傾けた吸出ノズルから送出されて手の表面を通過した気流は、後壁で分岐して乾燥室内に区分けされた上下の空間の下方に多く流れ込み、手の下面も効率よく乾燥できるという作用を有する。
【００４３】
また、本体内に設けた送風装置と、前記本体前面に凹設した断面が略Ｃ字形状の乾燥室と、前記送風装置からの気流を前記乾燥室内に送出する吹出ノズルを有し、吹出ノズルの外側先端部を内側先端部より長くしたものであり、吹出ノズルから噴出する気流は、吹き出すときに、長さ大なる外側先端部より長さ小なる内側先端部の方向に偏向して広がるため、外側先端部の方向には拡散せず、吹き出された気流が突出壁の外側に逃げないようにするという作用を有する。
【００４４】
また、本体内に設けた送風装置と、前記本体前面に凹設した断面が略Ｃ字形状の乾燥室と、前記送風装置からの気流を前記乾燥室内に送出する吹出ノズルを有し、吹出ノズルより内側の乾燥室内に、曲面を有する風向変更板を立設したものであり、吹き出された気流が乾燥室内を循環して吹出ノズルに横方向から近づくが、曲面を有する風向変更板に沿って略９０度方向変更されるため、吹出ノズルの吹出方向と同一方向の気流となり、吹出ノズルの噴出流を乱すことなく、循環流を形成できるという作用を有する。
【００４５】
また、突出壁の内面が吹出ノズルの吹出方向となす角度を４５度以下に設けてなるものであり、吹出ノズルからの送風を突出壁の表面に沿うように浅い鋭角で受けて衝撃を柔げるとともに、乾燥室底面での方向変換の導入部となり円滑な方向変換ができるという作用を有する。
【００４６】
以下、本発明の実施例について図面を参照しながら説明する。
【００４７】
【実施例】
（実施例１）
図１〜図４ないし６に示すように、壁面に固定された本体１は高速気流を発生する送風ユニット２と、その下部に断面が略Ｃ字形状の乾燥室３を備えた乾燥ユニット４を有している。
【００４８】
送風ユニット２は高速気流を発生するターボブロアなどの送風装置５と吹出ダクト６からなり、吹出ダクト６の先端に吹出ノズル６ａを形成している。また送風ユニット２の近傍に制御手段８を設けている。
【００４９】
乾燥ユニット４は乾燥室３の上部に前記吹出ノズル６ａを配設し、吹出ノズル６ａの下方には手を差し入れるための開口部３ｃを有し、乾燥室３の壁面には差し出した手を検知する非接触型の検知手段１０を設けている。前記制御手段８は検知手段１０の検知信号を受けて送風装置５を駆動制御している。
【００５０】
また、乾燥ユニット４は前面下部に前記乾燥室３の一部を形成する突出壁４ａを備え、吹出ノズル６ａの吹出方向を突出壁４ａに向けて設置している。
【００５１】
上記構成において、図１および図４（ロ）に示すように乾燥室３に手が差し込まれると、検知手段１０が手を検知してその検知出力がオンとなり、制御手段８を介して送風装置５ａを動作させて、吹出ノズル６ａより高速の気流を送出する。吹出ノズル６ａより送風された高速気流は手の表面に当たり、付着した水滴を分離しつつ乾燥する。
【００５２】
さらに高速の気流は、乾燥室３の後部壁面にて上下に分離して略Ｃ字形状の断面形状に沿って上下に循環流７ａ，７ｂを生成する。このとき循環流７ｂは手の裏側（下側）に沿って流れるため、手の裏側も同時に乾燥することができる。したがって乾燥室３内では差し込んだ手の両面に同時に気流が当たり乾燥の効率を向上させることができる。
【００５３】
また、図２および図４（イ）に示すように送出ノズル６ａより送風される高速気流が手に当たらない場合は、高速気流はそのまま突出壁４ａの先端および内側面に浅い角度で流れ込み、曲面を有する底面から後部壁面へと案内されて風向が変えられるため、乾燥ユニット４に対する衝撃力は小さくなり、また乱流の発生も少なくなり、振動や騒音を低減することができる。
【００５４】
なお、本実施例では送風ユニットを乾燥ユニットの上部に設けているが、送風ユニットを乾燥ユニットの下部に設けても、同様の作用効果を奏する。
【００５５】
なお、図３に参考実施形状として、断面形状が略Ｅ形状の乾燥室のものについて示した。
【００５６】
（実施例２）
本実施例以降においては、先の実施例に記載したものと同一構成のものは同一番号を付して詳しい説明は省略する。
【００５７】
図１〜図４ないし図６に示すように、本体前面に凹設した乾燥室３を設け、この乾燥室３内に高速気流を吹き出す吹出ノズル６ａを設けている。吹出ノズル６ａの下方には本体１前面の開口部３Ｃを隔てて突出壁４ａが対向している。乾燥室３の内面は連続的に滑らかな平面または曲面で形成されている。
【００５８】
上記構成において、図１および図４（ロ）に示すように乾燥室に手が差し込まれると、吹出ノズル６ａより高速気流を吹き出して手の表面に当たり、水滴を吹き飛ばしながら乾燥を行う。さらにこの気流は乾燥室３の後部壁面から底面を通り突出壁４ａの内面に沿って旋回するように流れ、手の裏面に到達する。このように一つの気流を手の表面と裏面に当てて乾燥することにより、吹出気流を有効に利用することができる。
【００５９】
また、図２および図４（イ）に示すように、吹出ノズル６ａの気流が手に当たらず通過する場合は、高速気流はそのまま突出壁４ａの先端および内側面に流れ込み、曲面を有する底面から後部壁面へと流れ方向を変える。さらに後部壁面を上昇して上壁面を通り、吹出ノズル６ａの吹出気流と合流することにより、循環流を形成し、この循環流は乾燥室３の壁面全体を広範囲に渡って乾燥することができ、乾燥室３内に残る水分量を少なくすることができる。したがって、吹出ノズル６ａの吹出気流が差し出した手に当たらない場合でも、乾燥室３の内壁面を効率良く乾燥することができ、吹出気流を有効に利用することができる。
【００６０】
（実施例３）
図１〜図６に示すように、送風装置５の吹出側に取り付けられた吹出ダクト６内には、半導体ヒータなどの発熱体６ｂを収納している。吹出ノズル６ａは吹出ダクト６の先端に急縮小形状に形成されている。制御手段８は送風装置５および吹出ダクト６とともに本体１内に収納され、検知手段１０の検知信号を受けて、送風装置５および発熱体６ｂを駆動制御している。
【００６１】
上記構成において、乾燥室３に手を差し入れると検知手段１０の検出により送風装置５と発熱体６ｂが駆動して、吹出ノズル６ａより高速の温風が吹き出す。このとき発熱体６ｂは吹出ダクト６内に収納されているため、送風装置５から吹出ダクト６に送出された気流は発熱体６ｂを通過するとき昇温されて、途中で漏れ出ることなく吹出ノズル６ａから高速温風として吹き出すことができる。
【００６２】
また、送風装置５と吹出ノズル６ａとの接続部から気流が漏れたとしても、その気流は発熱体６ｂを通過する前であるため、本体１内の雰囲気温度が大幅に上昇することはない。
【００６３】
したがって接続部から温風が本体１内に漏れないようにできるため、制御手段８の周囲温度上昇による熱的悪影響を未然に防止することができる。
【００６４】
（実施例４）
図１〜図４ないし図６に示すように、乾燥室３の両側面に形成される略Ｃ字形状の開口部３ａの内周縁には連続リブ３ｂを立設している。
【００６５】
上記構成において、乾燥室３に手を差し入れると検知手段１０の検出により送風装置５と発熱体６ｂが駆動して、吹出ノズル６ａより高速気流が吹き出し、手に当たった気流は横方向へのベクトル成分を含むものがあり、側方開口部３ａから乾燥室３の外に逃げる気流もある。しかし、乾燥室３の壁面に沿って横方向に流れるものは、内周縁に設けた連続リブ３ｂに阻まれて乾燥室３内に留まり、乾燥室３内の循環気流を保つことができ、循環する風量も充分に得られるため、手の乾燥効率を高めることができる。
【００６６】
（実施例５）
図１〜図４に示すように、乾燥室３の側方開口部３ａに設けた連続リブ３ｂの高さ寸法を、乾燥室３の曲率半径が小なる部分において、大きくしている。
【００６７】
たとえば、乾燥室３の底部は限られた奥行寸法内で気流の方向を転換させるために、底部曲面の曲率半径は小さくしている。さらにこの底面の側方に立設する連続リブ３ｂの高さ寸法を大きくしている。
【００６８】
上記構成において、吹出ノズル６ａより吹き出した高速気流は乾燥室３の底面で方向転換を行ない、循環流を形成するようになっているが、高速気流が方向転換を行なうときは、気流に乱れを生じるため連続リブ３ｂを乗り越えて乾燥室３外へ逃げようとする気流もある。しかし、乾燥室３の底部に設けた連続リブ３ｂの高さ寸法を大きくしているので、気流を外部に逃がさず、乾燥室３内の循環流を維持することができる。さらに、乾燥室３の底部に集まる水滴が側方の開口部３ａから飛散しないようにして、周囲が汚れるのを防止することができる。
【００６９】
（実施例６）
図１〜図４に示すように、乾燥室３の前面上部に吹出ノズル６ａを設け、吹出ノズル６ａが乾燥室３の前面開口部の上端に位置するようにしている。
【００７０】
送風装置５より送られた気流を乾燥室３の前面上部の吹出ノズル６ａから下部の突出壁４ａに向けて高速に吹き出すものである。
【００７１】
上記構成において、吹出ノズル６ａは乾燥室３の前面上部に設けられ、すなわち全面開口部の上端に位置しているため、突出壁４ａに向けて送風を高速に吹き出すことにより、高速気流が手に当たる場合も、そのまま突出壁４ａに当たる場合でも、断面が略Ｃ字形状の乾燥室３を循環するように流れ、気流の届かないデッドスペースをなくして、乾燥室３全体に気流を短時間で行き渡らせることができる。
【００７２】
したがって、乾燥室３に差し込んだ手の表裏面に気流が充分行き渡り、手の乾燥効率を向上して、濡れた手の乾燥時間を短縮することができ、さらに乾燥室３内の壁面全体をも同時に乾燥することができる。
【００７３】
（実施例７）
図１〜図４に示すように、乾燥室３の上部には高速気流を吹き出す吹出ノズル６ａを乾燥室３の内面に向けて傾けて設けている。すなわち、吹出ノズル６ａの先端から下ろした垂線Ａに対して、高速気流の吹出方向は乾燥室３側に傾いている。
【００７４】
上記構成において、手を乾燥室３に水平または斜め下方向に差し出すと、乾燥室３の上部に設けた吹出ノズル６ａは乾燥室３内に向けて傾斜して取り付けているため、高速気流は手の表面を乾燥室３の後部壁面に向かって流れ、後部壁面で上下に分離するとき、下方向に多くの気流７ｂが流れる。気流７ｂは底部の曲面および突出壁４ａに沿って流れ、方向転換をして手の裏面（下面）に当たり、手の下面を効率よく乾燥することができる。
【００７５】
また、乾燥室３の前面下部に突出壁４ａを設けているため、乾燥室３内では差し出した手の下方には必ず空間が生じることになり、その下方空間を通って分離した気流が廻り込むことができ、手の裏面（下面）に送風が当たり手の裏表を同時に乾燥することができる。
【００７６】
（実施例８）
図１〜図４ないし図５に示すように、高速気流を吹き出す吹出ノズル６ａの外側先端部６ｃの寸法を内側先端部６ｄの寸法より長くしている。また吹出ノズル６ａの吹出方向には突出壁４ａが位置している。
【００７７】
上記構成において、送風装置５より送出された気流は、吹出ダクト６の先端に形成した吹出ノズル６ａを通過するとき、吹出ノズル６ａの急縮小形状により圧力が加わり、高速化されて吹き出される。このとき吹出ノズル６ａの外側先端部６ｃは内側先端部６ｄより長く形成しているので、圧縮された気流は内側先端部６ｄの方向に偏向しつつ吹き出され、外側先端部６ｃ側に拡がる気流は極めて少なくなり、吹出ノズル６ａの吹出方向に位置する突出壁４ａの外側に、吹き出した気流が逃げないようにすることができる。したがって、吹出ノズル６ａから吹き出す全風量を漏れなく乾燥室３内に送り込むことができるので、風量を多く循環して乾燥効率を高めることができる。
【００７８】
（実施例９）
図１〜図４ないし図５に示すように、横長の吹出ノズル６ａに近接して、乾燥室３の上壁面に風向変更板１１を立設している。
【００７９】
風向変更板１１は曲面を有し、乾燥室３の上壁面に沿う循環流を吹出ノズル６ａの吹出方向に変更する役目をしている。
【００８０】
上記構成において、吹出ノズル６ａから噴出された高速気流は突出壁４ａの内面に沿って乾燥室３内を循環流として移動し、上壁面において風向変更板１１により、流れ方向が下向きに変更され、吹出ノズル６ａと略同一方向に風向変更される。
【００８１】
したがって、吹出ノズル６ａの高速気流が循環流の戻りにより乱されることはなく、また循環流の戻りを吹出ノズル６ａの吹出方向に合わせて合流させることにより、乾燥室３内で循環流の形成を促進することができる。
【００８２】
（実施例１０）
図１〜図４に示すように、吹出ノズル６ａは乾燥室３の前面下部に設けた突出壁４ａと対向して設けられ、図２に示すように吹出ノズル６ａの吹出方向と突出壁４ａの内面がなす角度αを４５度以下に設定している。すなわち乾燥室３の上部に設けた吹出ノズル６ａの吹出方向は突出壁４ａに浅い角度で交わるようになっている。
【００８３】
上記構成において、吹出ノズル６ａから吹き出された高速気流は、突出壁４ａに浅い鋭角で当たるため、突出壁４ａに対する衝撃は少なく、振動や騒音の発生を抑えることができる。
【００８４】
また、突出壁４ａが高速気流を乱れなく受入れることにより、乾燥室３の底面から後部壁面へと方向転換するときの導入部として、高速気流の方向転換を円滑に行なうことができ、乾燥室内で循環流を確実に形成することができる。
【００８５】
【発明の効果】
以上の実施例から明らかなように、本発明によれば断面が略Ｃ字形状の乾燥室の前面下部に上方へ突設する突出壁を備え、吹出ノズルの吹出方向を突出壁に向けることにより、乾燥室底部の振動や騒音を低減するとともに、一方向の吹出ノズルで手の両面を同時に乾燥することができるという効果のある手乾燥装置を提供できる。
【００８６】
また、吹出ノズルからの吹出気流は、乾燥室に差し出した手の一面に当たる場合には、手を離れた気流が乾燥室の内壁面に沿って旋回し、手の他面に当たるとともに、差し出した手に当たらない場合には、乾燥室の内壁面に沿って大きく旋回して循環流を形成することにより、吹出気流が手の一面に当たった後に続けて他面にも当たるという吹出気流の有効利用が図れ、また吹出気流が手に当たらない場合でも、乾燥室内に形成される循環流が乾燥室の内壁面を広範囲に移動して壁面に付着する水分を乾燥することができ、いずれの場合も吹出気流を有効利用して手の乾燥効率を高めることができる効果のある手乾燥装置を提供できる。
【００８７】
また、吹出ノズルを一体に形成した吹出ダクトに発熱体を設け、送風装置と前記吹出ノズルの間に前記発熱体を配置することにより、吹出ノズルの手前で温風が漏れないようにして、制御装置への熱的悪影響を防止できるという効果のある手乾燥装置を提供できる。
【００８８】
また、乾燥室の側方開口部の周縁に連続リブを設けることにより、乾燥室内の送風が側方開口部から逃げないようにして循環流を維持し、手の乾燥効果を高めることができるという効果のある手乾燥装置を提供できる。
【００８９】
また、乾燥室の断面形状が曲率半径小なる部分の連続リブの高さ寸法を大きくすることにより、循環する高速気流が乾燥室内で方向転換するときに、連続リブを乗り越えて逃げ出すのを防止して、循環流の形成を維持できるという効果のある手乾燥装置を提供できる。
【００９０】
また、断面が略Ｃ字形状の乾燥室の端部に吹出ノズルを設けて、乾燥室の前面に位置する突出壁に向けて気流を吹き出すことにより、乾燥室内にデッドスペースを生じることなく、気流を乾燥室全体に行き渡らせることができ、乾燥効率を高めることができるという効果のある手乾燥装置を提供できる。
【００９１】
また、断面が略Ｃ字形状の乾燥室の端部に設けた吹出ノズルの吹出方向を乾燥室内の方向に傾けることにより、乾燥室内に差し出した手の下側に多くの気流が廻り込み、手の裏側を効率良く乾燥することができる。
【００９２】
また、吹出ノズルの外側先端部を内側先端部より長くすることにより、吹出ノズルの外側に進む気流は少なくなり、突出壁の外側に気流が逃げることがなく、乾燥室内に風量を多く循環して乾燥効率を高めることができるという効果のある手乾燥装置を提供できる。
【００９３】
また、吹出ノズルの内側先端部の近傍に、曲面を有する風向変更板を立設することにより、吹出ノズルの高速気流が循環流の戻りにより乱されることはなく、また循環流の戻りを吹出ノズルの吹出方向に合わせて合流させることにより、乾燥室内で循環流の形成を促進することができるという効果のある手乾燥装置を提供できる。
【００９４】
また、乾燥室の前面下部に設けた突出壁の内面が吹出ノズルの吹出方向となす角度を４５度以下とすることにより吹出ノズルからの高速気流が突出壁に当たる角度が浅い鋭角となり、衝撃を柔らかく受けとめて振動や騒音の発生を抑え、さらに気流が手に当たらない場合は高速気流が乾燥室の底面から後部壁面へと方向変換するときの導入部として機能し、循環流の形成を確実に行ない、乾燥室内に気流を充満することができるという効果のある手乾燥装置を提供できる。
【図面の簡単な説明】
【図１】  本発明の実施例１〜１０の手乾燥装置の手に気流が当たる場合の断面図
【図２】  同手に気流が当たらない場合の断面図
【図３】  同参考実施形状を示す断面図
【図４】  （イ）同実施例１〜１０の手に気流が当たらない場合のディスプレイ上に表示したサ−モビュア像を示す写真
（ロ）同手に気流が当たる場合のディスプレイ上に表示したサ−モビュア像を示す写真
【図５】  同実施例３ないし実施例８、９の吹出ノズルまわりの拡大断面図
【図６】  同実施例１〜４の正面図
【図７】  従来の手乾燥装置の断面図
【図８】  （イ）同手に気流が当たらない場合のディスプレイ上に表示したサ−モビュア像を示す写真
（ロ）同手に気流が当たる場合のディスプレイ上に表示したサ−モビュア像を示す写真
【符号の説明】
１    本体
３    乾燥室
３ａ  側方開口部
３ｂ  連続リブ
４ａ  突出壁
５    送風装置
６    吹出ダクト
６ａ  吹出ノズル
６ｂ  発熱体
６ｃ  外側先端部
６ｄ  内側先端部
１１  風向変更板
【図１】
0003892126.tif 000002
【図２】
0003892126.tif 000003
【図３】
0003892126.tif 000004
【図４】
0003892126.tif 000005
【図５】
0003892126.tif 000006
【図６】
0003892126.tif 000007
【図７】
0003892126.tif 000008
【図８】
0003892126.tif 000009